(57)【要約】【課題】  簡便に真贋判定を行うことができると共に、横流しを低減させるホログラムラベル、ホログラムラベル判別システム及びホログラム判別方法を提供する。【解決手段】  ホログラムラベルは、複数の角を有し、複数の角のうち少なくとも１つの角の形状は他の角の形状と異なることを特徴とする。【選択図】図１
2010134235.tif 000002
【特許請求の範囲】
【請求項１】
複数の角を有し、
前記複数の角のうち少なくとも１つの角の形状は他の角の形状と異なることを特徴とするホログラムラベル。
【請求項２】
前記形状は曲率半径である
ことを特徴とする請求項１に記載のホログラムラベル。
【請求項３】
前記形状は面取りである
ことを特徴とする請求項１又は請求項２に記載のホログラムラベル。
【請求項４】
複数の切り込みを有し、
前記複数の切り込みのうち少なくとも１つの切り込みの形状は他の切り込みの形状と異なることを特徴とするホログラムラベル。
【請求項５】
前記形状は長さである
ことを特徴とする請求項４に記載のホログラムラベル。
【請求項６】
複数の切り込みを有し、
前記複数の切り込みのうち所定の２つの切り込みの間隔は他の２つの切り込みの間隔と異なることを特徴とするホログラムラベル。
【請求項７】
形状の異なる複数のホログラムラベルと、
前記ホログラムラベルのそれぞれと同じ形状の部分を有するホログラムラベル判別部材と、
を備えることを特徴とするホログラムラベル判別システム。
【請求項８】
ホログラムラベル判別部材は、透明シートであることを特徴とする請求項７に記載のホログラムラベル判別システム。
【請求項９】
前記同じ形状の部分は、前記透明シートに描かれたものであることを特徴とする請求項８に記載のホログラムラベル判別システム。
【請求項１０】
第１の地域へ搬送される物品に第１ホログラムラベルを貼付し、
第２の地域へ搬送される物品に前記第１のホログラムラベルと形状の異なる第２ホログラムラベルを貼付し、
第１の地域で物品を受け取る際には、前記物品に貼付されたホログラムラベルに前記第１ホログラムラベルと同じ形状の部分を有する第１ホログラムラベル判別部材を重ねて形状が同じか判別し、
第２の地域で物品を受け取る際には、前記物品に貼付されたホログラムラベルに前記第２ホログラムラベルと同じ形状の部分を有する第２ホログラムラベル判別部材を重ねて形状が同じか判別する
ことを特徴とするホログラムラベル判別方法。
【発明の詳細な説明】
【技術分野】
【０００１】
本発明は、ホログラムラベル、ホログラムラベル判別システム及びホログラム判別方法に関し、特に、偽造防止の真贋判定に適用されるホログラムラベル、ホログラムラベル判別システム及びホログラム判別方法に関するものである。
【背景技術】
【０００２】
従来から、キャッシュカード、クレジットカード、小切手カード等のカード類、金券類、身分証明書、重要書類等のような認証とともに偽造防止を必要とする物品に対して、各種の偽造防止手段が図られている。例えば、クレジットカードにおいては、金属反射層を有するレリーフホログラムからなるレインボーホログラムが、目視によるカードの真贋判定のための認証構造としてカードの表面に設けられている。このようなホログラムの記録装置が特許文献１に開示されている。
【０００３】
また、物品等を、正規の手続きを経ないで他へ売る、いわゆる不正な横流しをされる場合の対策として、バーコード等の個別情報を付与することが行われていた（特許文献２及び３）。
【０００４】
【特許文献１】特公昭６０−３０９４８号公報
【特許文献２】特開２００３−１５００５４号公報
【特許文献３】特開２００６−２５１２９２号公報
【発明の開示】
【発明が解決しようとする課題】
【０００５】
しかしながら、ホログラムに個別情報を付与した場合、製造が困難となり、製造コストが高くなっていた。また、一見して横流しを防止するための対策が施されていることが判別できるので、横流し防止対策に対する対応策を考えられるおそれがあった。
【０００６】
本発明は従来技術のこのような問題点に鑑みてなされたものであり、その目的は、簡便に真贋判定を行うことができると共に、横流しを低減させるホログラムラベル、ホログラムラベル判別システム及びホログラム判別方法を提供することである。
【課題を解決するための手段】
【０００７】
上記目的を達成する本発明のホログラムラベルは、複数の角を有し、前記複数の角のうち少なくとも１つの角の形状は他の角の形状と異なることを特徴とする。
【０００８】
また、前記形状は曲率半径であることを特徴とする。
【０００９】
また、前記形状は面取りであることを特徴とする。
【００１０】
さらに、本発明のホログラムラベルは、複数の切り込みを有し、前記複数の切り込みのうち少なくとも１つの切り込みの形状は他の切り込みの形状と異なることを特徴とする。
【００１１】
また、前記形状は長さであることを特徴とする。
【００１２】
また、複数の切り込みを有し、前記複数の切り込みのうち所定の２つの切り込みの間隔は他の２つの切り込みの間隔と異なることを特徴とする
【００１３】
さらに、本発明のホログラムラベル判別システムは、形状の異なる複数のホログラムラベルと、前記ホログラムラベルのそれぞれと同じ形状の部分を有するホログラムラベル判別部材と、を備えることを特徴とする。
【００１４】
また、ホログラムラベル判別部材は、透明シートであることを特徴とする。
【００１５】
また、前記同じ形状の部分は、前記透明シートに描かれたものである。
【００１６】
さらに、本発明のホログラムラベル判別方法は、第１の地域へ搬送される物品に第１ホログラムラベルを貼付し、第２の地域へ搬送される物品に前記第１のホログラムラベルと形状の異なる第２ホログラムラベルを貼付し、第１の地域で物品を受け取る際には、前記物品に貼付されたホログラムラベルに前記第１ホログラムラベルと同じ形状の部分を有する第１ホログラムラベル判別部材を重ねて形状が同じか判別し、第２の地域で物品を受け取る際には、前記物品に貼付されたホログラムラベルに前記第２ホログラムラベルと同じ形状の部分を有する第２ホログラムラベル判別部材を重ねて形状が同じか判別することを特徴とする。
【発明の効果】
【００１７】
本発明によれば、ホログラムラベル自体の絵柄等を判別することにより簡便に真贋判定を行うことができると共に、ホログラムラベルの形状を判別することにより横流しを低減させることが可能となる。
【発明を実施するための最良の形態】
【００１８】
以下、図面を参照にして本発明に係るホログラムラベルについて説明する。本発明に係るホログラムラベルは、ホログラムラベルを貼付した物品の流通する地域、宛先等の単位毎に形状を異ならせることで、横流しを低減させるものである。なお、目視により真贋の判別を行うものでも、機械に読み取らせることにより真贋の判別を行うものでもよい。
【００１９】
図１は、本発明の第１実施形態を示す図である。第１実施形態は、ホログラムラベル１の４つの角のうち１つの曲率半径を異ならせたものである。例えば、図１（ａ）は、第１の角１Ａ、第２の角１Ｂ及び第３の角１ＣをＲ＝２ｍｍとし、第４の角１ＤをＲ＝１ｍｍとしている。また、図１（ｂ）は、第１の角１Ａ、第２の角１Ｂ及び第４の角１ＤをＲ＝２ｍｍとし、第３の角１ＣをＲ＝１ｍｍとしている。同様に、図１（ｃ）は、第１の角１Ａ、第３の角１Ｃ及び第４の角１ＤをＲ＝２ｍｍとし、第２の角１ＢをＲ＝１ｍｍとしており、図１（ｄ）は、第２の角１Ｂ、第３の角１Ｃ及び第４の角１ＤをＲ＝２ｍｍとし、第１の角１ＡをＲ＝１ｍｍとしている。
【００２０】
図２は、本発明の第２実施形態を示す図である。第２実施形態は、ホログラムラベル１の４つの角のうち２つの曲率半径を異ならせたものである。例えば、図２（ａ）は、第１の角１Ａ及び第２の角１ＢをＲ＝２ｍｍとし、第３の角１Ｃ及び第４の角１ＤをＲ＝１ｍｍとしている。また、図２（ｂ）は、第１の角１Ａ及び第３の角１ＣをＲ＝２ｍｍとし、第２の角１Ｂ及び第４の角１ＤをＲ＝１ｍｍとしている。同様に、図２（ｃ）は、第１の角１Ａ及び第４の角１ＤをＲ＝２ｍｍとし、第２の角１Ｂ及び第３の角１ＣをＲ＝１ｍｍとしており、図２（ｄ）は、第２の角１Ｂ及び第３の角１ＣをＲ＝２ｍｍとし、第１の角１Ａ及び第４の角１ＤをＲ＝１ｍｍとし、図２（ｅ）は、第２の角１Ｂ及び第４の角１ＤをＲ＝２ｍｍとし、第１の角１Ａ及び第３の角１ＣをＲ＝１ｍｍとし、図２（ｆ）は、第３の角１Ｃ及び第４の角１ＤをＲ＝２ｍｍとし、第１の角１Ａ及び第２の角１ＢをＲ＝１ｍｍとしている。
【００２１】
図３は、本発明の第３実施形態を示す図である。第３実施形態は、ホログラムラベル１の４つの角のうち２つの曲率半径を同じ、他の２つの曲率半径をそれぞれ異ならせたものである。例えば、図３（ａ）は、第１の角１Ａ及び第２の角１ＢをＲ＝２ｍｍ、第３の角１ＣをＲ＝１ｍｍ、第４の角１ＤをＲ＝３ｍｍとしている。また、図３（ｂ）は、第１の角１Ａ及び第３の角１ＣをＲ＝２ｍｍ、第２の角１ＢをＲ＝１ｍｍ、第４の角１ＤをＲ＝３ｍｍとしている。なお、異なる曲率半径を有する角の組み合わせは、実施形態に限定されず種々の変形が可能である。
【００２２】
図４は、本発明の第４実施形態を示す図である。第４実施形態は、ホログラムラベル１の４つの角すべての曲率半径を異ならせたものである。例えば、図４は、第１の角１ＡをＲ＝１ｍｍ及び第２の角１ＢをＲ＝１．５ｍｍとし、第３の角１ＣをＲ＝２ｍｍ、第４の角１ＤをＲ＝３ｍｍとしている。
【００２３】
なお、第１〜第４実施形態における曲率半径のサイズは、実施形態に限定されず種々の変形が可能である。また、ホログラムラベル１の角は必ずしも４つである必要はない。
【００２４】
図５は、本発明の第５実施形態を示す図である。第５実施形態は、ホログラムラベル１の４つの角のうち１つの角を面取りしたものである。例えば、図５は、第１の角１Ａを面取りしている。同様に、第２の角１Ｂ、第３の角１Ｃ又は第４の角１Ｄを面取りしてもよい。
【００２５】
図６は、本発明の第６実施形態を示す図である。第６実施形態は、ホログラムラベル１の４つの角のうち２つの角を面取りしたものである。例えば、図６は、第１の角１Ａ及び第２の角１Ｂを面取りしている。
【００２６】
同様に、ホログラムラベル１の４つの角のうち３つの角を面取りしてもよい。
【００２７】
なお、少なくとも１つの面取りの深さを異なる深さとしてもよい。また、少なくとも１つの面取りの角度を異なる角度とし、隣り合う辺に対する角度をそれぞれ異ならせてもよい。また、ホログラムラベル１の角は必ずしも４つである必要はない。
【００２８】
図７は、本発明の第７実施形態を示す図である。第７実施形態は、ホログラムラベル１１に切り込みを施したものである。例えば、図７は、少なくとも１つの切り込みの長さを異ならせたものである。図７（ａ）は、第１の切り込み１１Ａ、第２の切り込み１１Ｂ及び第３の切り込み１１Ｃに対して第４の切り込み１１Ｄを長くしている。また、図７（ｂ）は、第１の切り込み１１Ａ及び第２の切り込み１１Ｂに対して第３の切り込み１１Ｃ及び第４の切り込み１１Ｄを長くしている。なお、異なる長さを有する切り込みの組み合わせは、実施形態に限定されず種々の変形が可能である。また、ホログラムラベル１１の切り込みは必ずしも４つである必要はない。
【００２９】
さらに、ホログラムラベル１１は、複数の切り込みのうち所定の２つの切り込みの間隔を他の２つの切り込みの間隔と異ならせる構成としてもよい。この場合もホログラムラベルの切り込みは必ずしも４つである必要はない。
【００３０】
また、切り込みはホログラムラベル１１の外周に設けても、内部に設けても、外周と内部の両方に設けてもよい。
【００３１】
第１〜第７実施形態のホログラムラベルによれば、ホログラムラベル自体の絵柄等を判別することにより簡便に真贋判定を行うことができると共に、ホログラムラベルの形状を判別することにより横流しを低減させることが可能となる。なお、ホログラムラベルの形状は、一見同じように見えるが、よく見ると異なっていることがわかる程度の差異であることが好ましい。
【００３２】
次に、ホログラムラベル判別システムについて説明する。本発明に係るホログラムラベル判別システムは、形状の異なる複数のホログラムラベルと、形状の異なる複数のホログラムラベルのそれぞれと同じ形状の部分を有するホログラムラベル判別部材とを有する。
【００３３】
図８は第８実施形態のホログラムラベルを示す図、図９は第８実施形態のホログラムラベル判別部材を示す図である。図８（ａ）は第１ホログラムラベルを示す図、図８（ｂ）は第２ホログラムラベルを示す図、図９（ａ）は第１ホログラムラベル判別部材、図９（ｂ）は第２ホログラムラベル判別部材を示す図である。
【００３４】
第１ホログラムラベル２１と第２ホログラムラベル２２は、４つの角の曲率半径を異ならせている。例えば、図８（ａ）に示すように、第１ホログラムラベル２１の角２１Ａ，２１Ｂ，２１Ｃ，２１ＤはＲ＝１ｍｍとし、図８（ｂ）に示すように、第２ホログラムラベル２２の角２２Ａ，２２Ｂ，２２Ｃ，２２ＤはＲ＝２ｍｍとする。
【００３５】
そして、図９（ａ）に示すように、第１ホログラムラベル判別部材としての第１透明シート３１の角３１Ａ，３１Ｂ，３１Ｃ，３１Ｄは、第１ホログラムラベル２１と同じＲ＝１ｍｍとし、図９（ｂ）に示すように、第２ホログラムラベル判別部材としての第２透明シート３２の角３２Ａ，３２Ｂ，３２Ｃ，３２Ｄは、第２ホログラムラベル２２と同じＲ＝２ｍｍとしている。
【００３６】
図１０は第９実施形態のホログラムラベルを示す図、図１１は第９実施形態のホログラムラベル判別部材を示す図である。図１０（ａ）は第１ホログラムラベルを示す図、図１０（ｂ）は第２ホログラムラベルを示す図、図１１（ａ）は第１ホログラムラベル判別部材、図１１（ｂ）は第２ホログラムラベル判別部材を示す図である。
【００３７】
第１ホログラムラベル４１と第２ホログラムラベル４２は、複数の切り込みのうち所定の２つの切り込みの間隔を他の２つの切り込みの間隔と異ならせている。例えば、図１０（ａ）に示すように、第１ホログラムラベル４１の第１の切り込み４１Ａと第２の切り込み４１Ｂの間隔及び第３の切り込み４１Ｃと第４の切り込み４１Ｄの間隔はａとし、図１０（ｂ）に示すように、第２ホログラムラベル４２の第１の切り込み４２Ａと第２の切り込み４２Ｂの間隔及び第３の切り込み４２Ｃと第４の切り込み４２Ｄの間隔はｂとする。
【００３８】
そして、図１１（ａ）に示すように、第１ホログラムラベル判別部材としての第１透明シート５１の第１の切り込み５１Ａと第２の切り込み５１Ｂの間隔及び第３の切り込み５１Ｃと第４の切り込み５１Ｄの間隔は、第１ホログラムラベル４１と同じａとし、図１１（ｂ）に示すように、第２ホログラムラベル判別部材としての第２透明シート５２の第１の切り込み５２Ａと第２の切り込み５２Ｂの間隔及び第３の切り込み５２Ｃと第４の切り込み５２Ｄの間隔は、第２ホログラムラベル４２と同じｂとしている。
【００３９】
なお、ホログラムラベルとして第１実施形態から第７実施形態で述べたホログラムラベルを適用し、それぞれ同じ形状の透明シートを作成してもよい。また、透明シートの形状をホログラムラベルの形状と同じにせず、透明シートにホログラムラベルの形状を描く構成としてもよい。
【００４０】
次に、ホログラムラベルラベル判別方法について説明する。第１ホログラムラベル２１，４１は、第１の地域へ搬送される物品に貼付され、第２ホログラムラベル２２，４２は、第２の地域へ搬送される物品に貼付される。そして、第１の地域で物品を受け取る際には、第１ホログラムラベル２１，４１の絵柄等の真贋を判別すると共に、第１ホログラムラベル２１，４１を第１透明シート３１，５１と重ねて形状が同じか判別する。また、第２の地域で物品を受け取る際には、第２ホログラムラベル２２，４２の絵柄等の真贋を判別すると共に、第２ホログラムラベル２２，４２を第２透明シート３２，５２と重ねて形状が同じか判別する。
【００４１】
なお、ホログラムラベルとして第１実施形態から第７実施形態で述べたホログラムラベルを適用し、それぞれ同じ形状の透明シートを作成してもよい。また、透明シートの形状をホログラムラベルの形状と同じにせず、透明シートにホログラムラベルの形状を描く構成としてもよい。
【００４２】
例えば、ホログラムラベル自体の絵柄が贋物の場合、物品が偽造品であることがわかり、ホログラムラベルと透明シート自体又は透明シートに描かれたものとが、はみ出すことなく重ならない場合、物品が横流しされたことがわかる。したがって、ホログラムラベル自体の絵柄等を判別することにより簡便に真贋判定を行うことができると共に、ホログラムラベルの形状を判別することにより横流しを低減させることが可能となる。
【００４３】
図１２は、角の曲率半径が１，１.５，２，２.５，３mmの５種類のホログラムラベルを重ねて拡大した図である。ホログラムラベルの角の曲率半径の差は、一見では区別することが困難であるが、図１２に示すように、ホログラムラベル同士、又は、ホログラムラベルとそれを判別する部材を重ねることにより、一目瞭然である。
【００４４】
なお、透明シートを用いる判別方法以外に、機械判別方法を用いることもできる。この場合は、あらかじめ、第１ホログラムラベル及び第２ホログラムラベルの形状のデータを登録しておき、判別対象のホログラムラベルの周囲形状をラインセンサー等で読み取り判別する。あらかじめ登録しておいたデータとラインセンサーで読み取った結果を比較することで判別することができる。読み取りにはラインセンサーでなくエリアセンサーを用いてもよい。
【００４５】
以上、本発明のホログラムラベル、ホログラムラベル判別システム及びホログラムラベル判別方法を実施形態に基づいて説明してきたが、本発明はこれら実施形態に限定されず種々の変形が可能である。例えば、複数のホログラムラベルの形状を相似とし、それぞれの面積をわずかに異ならせる等でもよい。
【図面の簡単な説明】
【００４６】
【図１】第１実施形態のホログラムラベルを示す図である。
【図２】第２実施形態のホログラムラベルを示す図である。
【図３】第３実施形態のホログラムラベルを示す図である。
【図４】第４実施形態のホログラムラベルを示す図である。
【図５】第５実施形態のホログラムラベルを示す図である。
【図６】第６実施形態のホログラムラベルを示す図である。
【図７】第７実施形態のホログラムラベルを示す図である。
【図８】第８実施形態のホログラムラベルを示す図である。
【図９】第８実施形態のホログラムラベル判別部材を示す図である。
【図１０】第９実施形態のホログラムラベルを示す図である。
【図１１】第９実施形態のホログラムラベル判別部材を示す図である。
【図１２】角の曲率半径が１，１.５，２，２.５，３mmの５種類のホログラムラベルを重ねて拡大した図である。
【符号の説明】
【００４７】
１，１１…ホログラムラベル
１Ａ，１Ｂ，１Ｃ，１Ｄ…角
１１Ａ，１１Ｂ，１１Ｃ，１１Ｄ…切り込み
２１…第１ホログラムラベル
２１Ａ，２１Ｂ，２１Ｃ，２１Ｄ…角
２２…第２ホログラムラベル
２２Ａ，２２Ｂ，２２Ｃ，２２Ｄ…角
３１…第１透明シート（第１ホログラムラベル判別部材）
３１Ａ，３１Ｂ，３１Ｃ，３１Ｄ…角
３２…第２透明シート（第２ホログラムラベル判別部材）
３２Ａ，３２Ｂ，３２Ｃ，３２Ｄ…角
４１…第１ホログラムラベル
４１Ａ，４１Ｂ，４１Ｃ，４１Ｄ…切り込み
４２…第２ホログラムラベル
４２Ａ，４２Ｂ，４２Ｃ，４２Ｄ…切り込み
５１…第１透明シート（第１ホログラムラベル判別部材）
５１Ａ，５１Ｂ，５１Ｃ，５１Ｄ…切り込み
５２…第２透明シート（第２ホログラムラベル判別部材）
５２Ａ，５２Ｂ，５２Ｃ，５２Ｄ…切り込み
【図１】
2010134235.tif 000003
【図２】
2010134235.tif 000004
【図３】
2010134235.tif 000005
【図４】
2010134235.tif 000006
【図５】
2010134235.tif 000007
【図６】
2010134235.tif 000008
【図７】
2010134235.tif 000009
【図８】
2010134235.tif 000010
【図９】
2010134235.tif 000011
【図１０】
2010134235.tif 000012
【図１１】
2010134235.tif 000013
【図１２】
2010134235.tif 000014